(57)【要約】【課題】対向する工作物の間に存在する隙間に定規本体を板厚の薄い先端縁部から挿入し、定規本体の表面が工作物に当たり挿入が止まったとき、工作物の辺縁に合致する板厚目盛を読み取ることにより隙間の寸法を測定することができ、又、定規本体の基部にストラップ穴部を形成しストラップを挿通して止めることにより携帯性や可搬性を高めたり、紛失を防ぐなどの各種の機能性や斬新さなどの装飾性を高めたりすることができ、使用の利便性の向上並びに需要の増大を図ることができる。【解決手段】先端縁部１ａ、両幅縁部１ｂ及び基端縁部１ｃを有する長尺状の定規本体１の板厚Ｔを先端部から基端部に至るに従って次第に厚く形成し、定規本体の表面に板厚を示す板厚目盛２を形成し、定規本体の基部にストラップ穴部３を形成してなる。【選択図】図１
0003135247.tif 000002
【実用新案登録請求の範囲】
【請求項１】
先端縁部、両幅縁部及び基端縁部を有する長尺状の定規本体の板厚を先端部から基端部に至るに従って次第に厚く形成し、該定規本体の表面に板厚を示す板厚目盛を形成してなり、上記定規本体の基部にストラップ穴部を形成してなることを特徴とするテーパーゲージ。
【請求項２】
上記定規本体の両幅縁部に一対の凹部を形成してなることを特徴とする請求項１記載のテーパーゲージ。
【請求項３】
上記定規本体は金属により製作されていることを特徴とする請求項１又は２記載のテーパーゲージ。
【考案の詳細な説明】
【技術分野】
【０００１】
本考案は、例えば対向する工作物間に存在する隙間の寸法測定や対向する工作物の平行度合の調整などに用いられるテーパーゲージに関するものである。
【背景技術】
【０００２】
従来、この種のテーパーゲージとして、先端縁部、両幅縁部及び基端縁部を有する直角三角形状の定規本体の板厚を先端部から基端部に至るに従って次第に厚く形成し、該定規本体の表面に高さを示す目盛を形成してなる構造のものが知られている。
【特許文献１】特開平９−７９８０４号公報
【考案の開示】
【考案が解決しようとする課題】
【０００３】
しかしながら上記従来構造の場合、使用の利便性、携帯性、可搬性並びに機能性等において各種の不都合が指摘されることがある。
【課題を解決するための手段】
【０００４】
本考案はこれらの不都合を解決することを目的とするもので、本考案のうちで、請求項１記載の考案は、先端縁部、両幅縁部及び基端縁部を有する長尺状の定規本体の板厚を先端部から基端部に至るに従って次第に厚く形成し、該定規本体の表面に板厚を示す板厚目盛を形成してなり、上記定規本体の基部にストラップ穴部を形成してなることを特徴とするテーパーゲージにある。
【０００５】
又、請求項２記載の考案は、上記定規本体の両幅縁部に一対の凹部を形成してなることを特徴とするものであり、又、請求項参記載の考案は、上記定規本体は金属により製作されていることを特徴とするものである。
【考案の効果】
【０００６】
本考案は上述の如く、請求項１記載の考案にあっては、例えば、対向する工作物の間に存在する隙間の寸法を測定する場合、その隙間に定規本体を板厚の薄い先端縁部から挿入し、定規本体の表面が工作物に当たり、定規本体の挿入が止まったとき、工作物の辺縁に合致する板厚目盛を読み取ることにより隙間の寸法を測定することができ、又、その隙間に並列する位置の隙間に定規本体を挿入し、定規本体の挿入が止まったときの板厚目盛を読み取ることにより工作物の平行度合を知り得ることにより一方又は両方の工作物を近接離間させることにより工作物の平行度合を調整することができ、したがって、隙間の寸法測定や平行度合の調整を容易に行うことができ、この際、上記定規本体の基部にストラップ穴部を形成してなるから、ストラップ穴部に各種のストラップや機能的又は装飾的効果を併せ持つストラップを挿通して止めることにより携帯性や可搬性を高めたり、紛失を防ぐなどの各種の機能性や斬新さなどの装飾性を高めたりすることができ、使用の利便性の向上並びに需要の増大を図ることができる。
【０００７】
又、請求項２記載の考案にあっては、上記定規本体の両幅縁部に一対の凹部を形成してなるから、この対向する凹部に指を入れて挟むことにより定規本体の指による保持を確実に行うことができ、又、請求項３記載の考案にあっては、上記定規本体は金属により製作されているから、使用の耐久性を高めることができる。
【考案を実施するための最良の形態】
【０００８】
図１乃至図１２は本考案の実施の形態例を示し、１は定規本体であって、機械構造用鋼材等の金属により製作され、先端縁部１ａ、両幅縁部１ｂ・１ｂ及び弧状の基端縁部１ｃを有する長尺状板材により形成され、その板厚Ｔを先端部から基端部に至るに従って次第に厚く形成している。
【０００９】
２は板厚目盛であって、上記定規本体１の表面に形成され、先端部から基端部に至るに従って次第に厚く形成されている定規本体１のその目盛付設位置における板厚Ｔを示す高さ目盛となっている。
【００１０】
この場合、上記先端縁部１ａから基端縁部１ｃまでの全長が約１５７ｍｍ、両幅縁部１ｂ・１ｂの幅が約１２ｍｍ、先端縁部１ａの板厚が０．２５ｍｍ、基端縁部１ｃの板厚が約５．５ｍｍ、表面の傾斜角度が約１°５４′３３″、板厚目目盛２は０．０５ｍｍ刻みの線及び板厚を示す数字となっている。
【００１１】
３はストラップ穴部であって、各種のストラップＷを挿通して縛り付けるための貫通穴であり、この場合の内径５ｍｍの貫通穴となっている。
【００１２】
４・４は凹部であって、上記定規本体１の両幅縁部１ｂ・１ｂに形成され、対向する凹部４・４に指を入れて挟むことにより定規本体１の指による保持を確実に行うようにしている。
【００１３】
この実施の形態例は上記構成であるから、図６、図７の如く、例えば、対向する工作物Ｍ・Ｍの間に存在する隙間Ｂの寸法を測定する場合、その隙間Ｂに定規本体１を板厚の薄い先端縁部１ａから挿入し、定規本体１の表面が工作物Ｍに当たり、定規本体１の挿入が止まったとき、工作物Ｍの辺縁Ｍ1に合致する板厚目盛２を読み取ることにより隙間Ｂの寸法を測定することができ、又、その隙間Ｂに並列する位置の隙間Ｂに定規本体１を挿入し、定規本体１の挿入が止まったときの板厚目盛２を読み取ることにより工作物Ｍ・Ｍの平行度合を知り得ることにより一方又は両方の工作物Ｍを近接離間させることにより工作物Ｍ・Ｍの平行度合を調整することができ、したがって、隙間Ｂの寸法測定や平行度合の調整を容易に行うことができる。
【００１４】
この際、上記定規本体１の基部にストラップ穴部３を形成してなるから、ストラップ穴部３に各種のストラップや機能的又は装飾的効果を併せ持つストラップＷを挿通して止めることにより携帯性や可搬性を高めたり、紛失を防ぐなどの各種の機能性や斬新さなどの装飾性を高めたりすることができ、使用の利便性の向上並びに需要の増大を図ることができる。
【００１５】
この場合、上記定規本体１の両幅縁部に一対の凹部４・４を形成してなるから、この対向する凹部４・４に指を入れて挟むことにより定規本体１の指による保持を確実に行うことができ、又、この場合、上記定規本体１は金属により製作されているから、使用の耐久性を高めることができる。
【００１６】
尚、本考案は上記実施の形態例に限られるものではなく、例えば、定規本体１の形状や材質、板厚目盛２、ストラップ穴部３の形状等は適宜変更して設計されるものである。
【００１７】
以上、所期の目的を充分達成することができる。
【図面の簡単な説明】
【００１８】
【図１】本考案の実施の形態例の全体斜視図である。
【図２】本考案の実施の形態例の全体平面図である。
【図３】本考案の実施の形態例の全体側面図である。
【図４】本考案の実施の形態例の使用状態図である。
【図５】本考案の実施の形態例の部分断面図である。
【図６】本考案の実施の形態例の使用状態の平面図である。
【図７】本考案の実施の形態例の使用状態の部分断面図である。
【符号の説明】
【００１９】
Ｔ    板厚
Ｗ    ストラップ
１    定規本体
１ａ    先端縁部
１ｂ    両幅縁部
１ｃ    基端縁部
２    板厚目盛
３    ストラップ穴部
４    凹部
【図１】
0003135247.tif 000003
【図２】
0003135247.tif 000004
【図３】
0003135247.tif 000005
【図４】
0003135247.tif 000006
【図５】
0003135247.tif 000007
【図６】
0003135247.tif 000008
【図７】
0003135247.tif 000009